【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
回路基板と、ベース及びカバーを有して内部に回路基板が設けられた基板ユニットであって、
前記ベース側に設けられる第１封印手段と、前記カバー側に設けられる第２封印手段と、その第１封印手段と第２封印手段とを連結する連結封印部材とを有し、その連結封印部材によって前記第１封印手段と第２封印手段とが連結されている場合に前記回路基板を取り出すときには基板ユニットを破壊するか或いは所定の部位を切断することを必要とする基板ユニットを備えた遊技機において、
前記第１封印手段は、連結封印部材が挿入される第１封印部が複数並設され、その複数の第１封印部の列と離間した位置で前記複数の第１封印部と並列に設けられる第１取付部と、その第１取付部と各第１封印部とを連結する複数の第１連結部とを備えると共に、
前記第２封印手段は、連結封印部材が挿入される第２封印部が複数並設され、その複数の第２封印部の列と離間した位置で前記複数の第２封印部と並列に設けられる第２取付部と、その第２取付部と各第２封印部とを連結する複数の第２連結部とを備え、
前記第１連結部または前記第２連結部が前記所定の部位であり、
前記第１封印手段と前記ベースとが前記第１取付部を介して一体または一体的に設けられてベース体を形成し、
前記第２封印手段と前記ベースとが前記第２取付部を介して一体または一体的に設けられてカバー体を形成し、
前記連結封印部材の予備用の部材である予備用連結封印部材と、
前記ベース体またはカバー体の一方に配設される、前記予備用連結封印部材を抜き差しし得る抜き差し口を有する予備用部材保持部と、
前記ベース体またはカバー体の他方に配設される予備用部材係止部とを備え、
前記予備用部材保持部は、前記複数の第１封印部または複数の第２封印部のうち両端の封印部よりも内側で、かつ、隣り合う封印部の間にそれぞれ設けられ、
前記予備用部材係止部は、前記第１封印部と前記第２封印部とが前記連結封印部材により連結されている状態において、前記予備用部材保持部の抜き差し口と対向する位置に設けられ、
前記予備用連結部材は、
前記第１封印部と前記第２封印部とが前記連結封印部材により連結されていない状態では、前記予備用部材保持部から抜き取り可能であり、
前記第１封印部と前記第２封印部とが前記連結封印部材により連結されている状態では、前記予備用部材係止部により抜き取り方向への移動を規制され、前記予備用部材保持部からの抜き取りが防止されていることを特徴とする遊技機。
【手続補正２】
【補正対象書類名】明細書
【補正対象項目名】全文
【補正方法】変更
【補正の内容】
【発明の詳細な説明】
【発明の名称】遊技機
【技術分野】
【０００１】
本発明はパチンコ機やスロットマシーン等の遊技機に関するものである。
【背景技術】
【０００２】
近年、パチンコ機およびスロットマシーン等の遊技機は、遊技盤に設けられる入賞装置および表示装置等を制御して遊技の興趣を盛り上げるものが主流となっている。この入賞装置および表示装置の制御はＩＣ，ＬＳＩ等の多数の電子部品を配設したロジック制御回路基板またはマイクロコンピュータを有する制御回路基板等により行われる。これらの制御回路基板は、遊技盤の裏面に配設される入賞球集合カバーまたは機構板に取り付けられる遊技機用基板ボックス内に収納されて遊技機に付設されている。この遊技機用基板ボックスは制御回路基板を被包して収納するためのボックスベースとボックスカバーとを備えている。
【０００３】
ところで、かかる遊技機用基板ボックス内に収納された制御回路基板から遊技内容に関する制御情報が記憶されたＲＯＭを取り外し交換して、遊技機の遊技内容を変更する不正行為が近年問題になっている。このような不正行為の防止対策として、遊技機用基板ボックス内からＲＯＭを取り外すことができないように遊技機用基板ボックスのボックスベースとボックスカバーとを封印ねじ等の特殊ねじを用いて接合（連結）し、遊技機用基板ボックスを封印する方法が用いられている。
【０００４】
例えば、この封印ねじは、スクリュードライバ等のねじ回し工具が締め付け方向（ねじ込み方向）にのみ係合される十字溝をねじ頭部に凹設したものであり、ねじを緩める方向にねじ回し工具を回転させると、ねじ回し工具が空回りすることにより外すことができない特殊ねじである。よって、この封印ねじを用いて遊技機用基板ボックスのボックスベースおよびボックスカバーを接合した場合、遊技機用基板ボックスを容易に開封することができないので、遊技機用基板ボックス内の制御回路基板から遊技内容に関する制御情報の記憶されたＲＯＭを取り外して交換するという不正行為が防止される。
【発明の開示】
【発明が解決しようとする課題】
【０００５】
しかしながら、封印された遊技機用基板ボックスに対し、封印部分の一部を切断して、基板ボックスを開封し、制御回路基板に不正改造等の不正行為が行われることがある。かかる場合、不正行為を行った者は、その不正行為を隠蔽するために、切断部分に接着剤等を塗布して、再接合し、切断の痕跡を隠蔽する。このようにして不正行為が隠蔽されると、不正行為の早期発見が困難となるという問題点があった。
【０００６】
【０００７】
本発明は上述した問題点を解決するためになされたものであり、基板ユニットを確実に封印して、遊技内容を変更する不正行為を防止し、一方、かかる不正行為が行われた場合には、その不正行為を早期に発見することができる遊技機を提供することを目的としている。
【課題を解決するための手段】
【０００８】
この目的を達成するために請求項１記載の遊技機は、回路基板と、ベース及びカバーを有して内部に回路基板が設けられた基板ユニットであって、前記ベース側に設けられる第１封印手段と、前記カバー側に設けられる第２封印手段と、その第１封印手段と第２封印手段とを連結する連結封印部材とを有し、その連結封印部材によって前記第１封印手段と第２封印手段とが連結されている場合に前記回路基板を取り出すときには基板ユニットを破壊するか或いは所定の部位を切断することを必要とする基板ユニットを備えており、前記第１封印手段は、連結封印部材が挿入される第１封印部が複数並設され、その複数の第１封印部の列と離間した位置で前記複数の第１封印部と並列に設けられる第１取付部と、その第１取付部と各第１封印部とを連結する複数の第１連結部とを備えると共に、前記第２封印手段は、連結封印部材が挿入される第２封印部が複数並設され、その複数の第２封印部の列と離間した位置で前記複数の第２封印部と並列に設けられる第２取付部と、その第２取付部と各第２封印部とを連結する複数の第２連結部とを備え、前記第１連結部または前記第２連結部が前記所定の部位であり、前記第１封印手段と前記ベースとが前記第１取付部を介して一体または一体的に設けられてベース体を形成し、前記第２封印手段と前記ベースとが前記第２取付部を介して一体または一体的に設けられてカバー体を形成し、前記連結封印部材の予備用の部材である予備用連結封印部材と、前記ベース体またはカバー体の一方に配設される、前記予備用連結封印部材を抜き差しし得る抜き差し口を有する予備用部材保持部と、前記ベース体またはカバー体の他方に配設される予備用部材係止部とを備え、前記予備用部材保持部は、前記複数の第１封印部または複数の第２封印部のうち両端の封印部よりも内側で、かつ、隣り合う封印部の間にそれぞれ設けられ、前記予備用部材係止部は、前記第１封印部と前記第２封印部とが前記連結封印部材により連結されている状態において、前記予備用部材保持部の抜き差し口と対向する位置に設けられ、前記予備用連結部材は、前記第１封印部と前記第２封印部とが前記連結封印部材により連結されていない状態では、前記予備用部材保持部から抜き取り可能であり、前記第１封印部と前記第２封印部とが前記連結封印部材により連結されている状態では、前記予備用部材係止部により抜き取り方向への移動を規制され、前記予備用部材保持部からの抜き取りが防止されている。
【発明の効果】
【０００９】
本発明の遊技機によれば、回路基板をベースまたはカバー内に収納し、第１封印手段と第２封印手段とを対向させつつ、ベースとカバーとを合致させることにより、回路基板が基板ユニットに被抱される。回路基板の被抱後、連結封印部材を第１封印手段から第２封印手段へ挿入すると、第１封印手段と第２封印手段とが連結され、基板ユニット内に回路基板を封印することができる。よって、遊技内容に関する制御情報が記憶されたＲＯＭを回路基板から取り外して交換し、遊技内容を変更する不正行為を抑制することができるという効果がある。
【００１０】
【００１１】
【００１２】
なお、連結封印部材には、スクリュードライバ等のねじ回し工具を係合させる係合溝ではなく、連結封印部材をねじ込み方向に回転させる場合、ねじ回し工具と係合可能となり、逆に連結封印部材を反ねじ込み方向に回転させる場合には、ねじ回し工具を空回りさせる係合溝、いわゆるワンウェイ十字溝を凹設しても良い。
【発明を実施するための最良の形態】
【００１３】
以下、本発明の好ましい実施例について、添付図面を参照して説明する。まず、図１及び図２を参照して、封印ユニット１が配設される基板ボックス４０について説明する。図１は、本発明の遊技機用基板ボックス封印具の一実施例である封印ユニット１を有する基板ボックス４０の配設されたパチンコ機５０の裏面の部分断面図であり、図２は、図１のＩ−Ｉ線における平面部分断面図である。尚、図２に示す２点鎖線は、連接板４５を介して基板ボックス４０が回転された状態を図示している。
【００１４】
図１に示すように、基板ボックス４０は、例えば、遊技機の一種であるパチンコ機５０の遊技盤５１の裏面に設けられた入賞球集合カバー５２に取り付けられている。基板ボックス４０は、パチンコ機５０の遊技内容に関する制御情報を記憶した制御用ＲＯＭ等の電子部品により構成された制御回路基板（図示せず）を被包するためのものであり、ボックス本体４１と、そのボックス本体４１に覆設されるボックス蓋体４２とを備えている（図３R>３参照）。この基板ボックス４０の上下側の両側壁面には、封印ユニット１，１がそれぞれ取り付けられており、基板ボックス４０内に制御回路基板を被包する場合には、かかる封印ユニット１，１の双方を用いて、基板ボックス４０の上側および下側の２箇所を封印する。
【００１５】
図１および図２に示すように、基板ボックス４０のボックス本体４１には、連接板４５が配設されている。連接板４５は、正面視長板状に形成されたヒンジ部材であり、計４本の取付ピン４５ａを備えている。この各取付ピン４５ａのうち、２本の取付ピン４５ａは、連接板４５の右側端部分に突設されており、その他の２本の取付ピン４５ａは、連接板４５の左側端部分に突設されている。各取付ピン４５ａのうち、連接板４５の右側端部分（図１中、右側）に突設されている各取付ピン４５ａは、ボックスベース４１に設けられた各軸受板４１ｄに回動可能にそれぞれ支持されている（図２参照）。また、連接板４５の左側端部分（図１中、左側）に突設されている各取付ピン４５ａは、入賞球集合カバー５２に突設された各軸受板５２ａに回動可能にそれぞれ差し込まれる。よって、基板ボックス４０は、連接板４５により入賞球集合カバー５２に対して回動可能に配設される。そして、基板ボックス４０は、入賞球集合カバー５２に配設された留め具（図示せず）によって、連接板４５による回動を防止するために係止される。
【００１６】
この基板ボックス４０の状態を検査する場合には、留め具による基板ボックス４０の係止を解除した後、図２に示すように、連接板４５を介して基板ボックス４０を反時計方向へ回転させて、図２中の２点鎖線の位置の方向へ移動させることにより、ボックス本体４１の裏面を検査することができる。また、連接板４５の入賞球集合カバー５２の各軸受板５２ａに差し込まれた各取付ピン４５ａは、それぞれ各軸受板５２ａに対して着脱可能に形成されているので、基板ボックス４０を入賞球集合カバー５２から取り外して検査することもできる。
【００１７】
図３は、各封印ユニット１，１が配設された基板ボックス４０が開封された状態を示す分解斜視図である。尚、図３では、基板ボックス４０に配設された一方の封印ユニット１のみを図示している。
【００１８】
図３に示すように、ボックス本体４１は、金属材料から構成され中空状の箱状体に形成されており、その上方はボックス本体４１内に制御回路基板を配設するために開放されている。また、ボックス本体４１の側壁４１ａには封印ユニット１のユニット部材（第１封印具）２０が取り付けられており、かかるユニット部材２０の取付部材２２はボックス本体４１の一部として構成されている。更に、ボックス本体４１の内側壁には薄板状のガイド板４３が設けられており、ボックス本体４１にボックス蓋体４２を被せる場合、ボックス蓋体４２の位置ズレを防止して、容易に被せることができる。
【００１９】
ボックス蓋体４２は、ボックス本体４１と同様に、金属製の中空箱状体に形成されており、その側壁４２ａには封印ユニット１のユニット部材（第２封印具）３０が取り付けられており、かかるユニット部材３０の取付部材３２はボックス蓋体４２の一部として構成されている。ボックス蓋体４２の上部壁面には、透明な合成樹脂から構成された覗き窓４２ｄが設けられており、基板ボックス４０内の制御回路基板の様子や、その制御回路基板上に設けられた制御用ＲＯＭの型番号を容易に確認することができる。このため、制御回路基板を改造したり、制御用ＲＯＭを交換してパチンコ機５０の遊技内容を変更する不正行為が行われた場合には、これを容易に発見することができる。
【００２０】
また、ボックス蓋体４２の上面には、基板ボックス４０内に配設された制御回路基板を管理するための基板管理番号シール６１が貼付される。図９には、かかる基板管理番号シール６１の平面図が図示されている。
【００２１】
図９に示すように、未使用の基板管理番号シール６１は、台紙６２に計４枚貼付されている。この基板管理番号シール６１をボックス蓋体４２に貼付する場合には、台紙６２から１枚ずつ剥がして貼り付ければ良い。この基板番号管理シール６１は、特殊シールで構成されており、その表面には、基板管理番号６１ａと、製造業者コード６１ｂと、枠部６１ｃと、検査履歴６１ｄとが表示されている。基板管理番号６１ａとは、基板ボックス４０に被包される制御回路基板のシリアル番号である。また、制御回路基板の製造業者は、枠部６１ｃの色彩と製造業者コード６１ｂとにより特定される。更に、この基板管理番号シール６１は、制御回路基板の検査履歴書でもあり、検査履歴６１ｄには、検査毎に「１」から「３」の欄に検査年月日（開封年月日）、検査者名（開封者名）および検査印等が記録される。
【００２２】
尚、基板管理番号シール６１を構成する特殊シールは、剥がされると破損してしまう性質を有するものであるので、基板管理番号シール６１が不正に剥がされた場合には、かかる不正行為を容易に発見することができる。
【００２３】
次に、図４から図８を参照して、封印ユニット１を構成する各部材について説明する。図４は、封印ユニット１を構成する各部材の分解斜視図であり、図５は、封印ユニット１のユニット部材２０の下面図であり、図６は、基板ボックス４０を封印した状態における封印ユニット１の部分断面図であり、図７は、予備用封印ねじ１１１を保持した状態を示した封印ユニット１の部分断面図であり、図８は、基板ボックス４０の分解斜視図である。
【００２４】
まず、図４に示すように、封印ユニット１は、基板ボックス４０を封印するための封印ねじ１１と、その封印ねじ１１が螺入されるナット（保持部材）１２と、封印ねじ１１を係止するためのストッパ部材（抜け止め手段）１３と、ナット１２およびストッパ部材１３が配設されるとともにボックス本体４１の一部として取り付けられるユニット部材２０と、そのユニット部材２０に対向してボックス蓋体４２の一部として取り付けられるユニット部材３０と、封印ねじ１１の予備用の部材である予備用封印ねじ１１１とを備えている。
【００２５】
封印ねじ１１は、後述するユニット部材２０，３０における各封印部材２１，３１を連結するためのものであり、ステンレス鋼材等の金属材料から構成されている。この封印ねじ１１は、封印部材２１に挿入される軸部１１ａと、その軸部１１ａの一端に一体形成されるとともに後述する封印部材３１に係合される頭部（係合部）１１ｂとを備えている。
【００２６】
図４に示すように、封印ねじ１１の軸部１１ａは、先端部１１ｃと、おねじが螺刻されたおねじ部１１ｄと、おねじが螺刻されていない非おねじ部１１ｅとを備えている。先端部１１ｃは、軸部１１ａの下端部に形成されており、その先端部分に形成されたテーパ部Ｔ１と、後述するストッパ部材１３により係止される係止溝（係止部）１１ｆとを有している。図６に示すように、封印ねじ１１の先端部１１ｃは、テーパ部Ｔ１を介して後述するストッパ部材１３の内孔１３ｂへ容易に挿入することができる。即ち、封印ねじ１１の先端部１１ｃがストッパ部材１３の内孔１３ｂに挿入されると、テーパ部Ｔ１により、ストッパ部材１３の内孔１３ｂが徐々に押し広げられるからである。この封印ねじ１１の挿入を更に続けると、係止溝１１ｆがストッパ部材１３により係止され、封印ねじ１１は、ストッパ部材１３から取り外し不可能な状態となる。
【００２７】
おねじ部１１ｄは、後述するナット１２のめねじ部１２ｃと螺合可能に形成されており、非おねじ部１１ｅの外径は、ナット１２のめねじ部１２ｃの内径より小さく形成されている。よって、封印ねじ１１がナット１２のめねじ部１２ｃに螺入されて基板ボックス４０が封印された場合、封印ねじ１１の非おねじ部１１ｅをナット１２のめねじ部１２ｃ内に挿設することができる（図６参照）。
【００２８】
頭部１１ｂは、軸部１１ａと比較して外径が大きく形成されており、後述する封印部材３１の係合穴３１ａに係合可能となっている。よって、封印ねじ１１の係止溝１１ｆがストッパ部材１３に係止され、その頭部１１ｂが封印部材３１の係合穴３１ａに係合された場合、封印部材２１，３１は、封印ねじ１１により連結されるとともに、その封印ねじ１１は、封印部材２１，３１から取り外し不可能となる。その結果、基板ボックス４０は開封不可能な状態にて封印される。また、頭部１１ｂの上面には、スクリュードライバ等のねじ回し工具が係合可能な上面視略十字状の係合溝１１ｇが凹設されている。よって、この係合溝１１ｇにスクリュードライバ等のねじ回し工具を係合させることにより、封印ねじ１１をねじ込み方向および反ねじ込み方向の双方向に回転させることができる。
【００２９】
尚、封印ねじ１１と予備用封印ねじ１１１は略同一形状に形成されているので、予備用封印ねじ１１１の説明は省略する。
【００３０】
図４および図６に示すように、ナット１２は、封印ねじ１１および後述するストッパ部材１３を封印部材２１内に保持するためのものであり、後述する封印部材２１に内嵌される。このナット１２は、真鍮等の金属材料から構成されており、円盤状に形成されたナット頭部１２ａと、そのナット頭部１２ａと比較して外径が小さく形成された円柱状の円筒部１２ｂと、封印ねじ１１のおねじ部１１ｄに螺合可能なめねじ部１２ｃと、そのめねじ部１２ｃに連通して穿設された保持穴１２ｄとを備えている。
【００３１】
ナット１２のナット頭部１２ａは、後述する封印部材２１の嵌合穴２１ａに内嵌され、円筒部１２ｂは、後述する封印部材２１の嵌合穴２１ｂに内嵌される。この円筒部１２ｂの外周面にはローレット切りが施されており（図４参照）、嵌合穴２１ａに内嵌されたナット頭部１２ａの外周面は嵌合穴２１ａの内壁に引っ掛かり、ナット１２は嵌合穴２１ａ内に確実に保持される（図６参照）。また、円筒部１２ｂの下方には後述するストッパ部材１３が配置されている。
【００３２】
めねじ部１２ｃの内径は、封印ねじ１１の非おねじ部１１ｅの外径と比較して大きく形成されており、めねじ部１２ｃ内に非おねじ部１１ｅを挿設することができる。また、保持穴１２ｄは、めねじ部１２ｃと連通して穿設されており、その内径は封印ねじ１１のおねじ部１１ｄの外径と比較して大きく形成されている。よって、封印ねじ１１がナット１２のめねじ部１２ｃに螺入されて基板ボックス４０が封印された場合、封印ねじ１１のおねじ部１１ｄを保持穴１２ｄ内に挿設することができる。
【００３３】
図４および図６に示すように、ストッパ部材１３は、封印ねじ１１における先端部１１ｃの係止溝１１ｆを介して、封印ねじ１１を後述する封印部材２１内に係止するためのものであり、バネ鋼材等を用いて上面視略Ｏ字形に形成されたプッシュナットである。このストッパ部材１３は、後述する封印部材２１の嵌合穴２１ｂ内であって、ナット１２の下方に配置されている。このストッパ部材１３は、その略中央部分に略すり鉢状に凹設された受け部１３ａを有しており、この受け部１３ａの略中央部分には、略円形状の内孔１３ｂが穿設されている。また、このストッパ部材１３の受け部１３ａは、封印ねじ１１の先端部１１ｃを、内孔１３ｂへと案内することができる。
【００３４】
また、この受け部１３ａには、複数の切り欠きが略等配分で設けられており、このストッパ部材１３の内孔１３ｂに封印ねじ１１の先端部１１ｃが挿入されると、封印ねじ１１のテーパ部Ｔ１を介して、受け部１３ａが弾性変形しストッパ部材１３の内孔１３ｂが押し広げられる。その後、封印ねじ１１が更に螺入され、封印ねじ１１の係止溝１１ｆがストッパ部材１３の内孔１３ｂに挿設されると、受け部１３ａが弾性変形して内孔１３ｂが収縮する。その結果、封印ねじ１１の係止溝１１ｆがストッパ部材１３の内孔１３ｂにより係止される。
【００３５】
図４に示すように、ユニット部材２０は、基板ボックス４０を封印するためにボックス本体４１に配設されるものであり、ポリカーボネート樹脂等の耐衝撃性を有する合成樹脂材料で形成されている。このユニット部材２０は、ナット１２およびストッパ部材１３が配置される複数の封印部材２１と、ユニット部材２０をボックス本体４１に取り付けるための取付部材２２と、各封印部材２１と取付部材２２とを互いに連結するための連結部材２３と、封印ねじ１１の予備用の部材である予備用封印ねじ１１１を保持するための予備ねじ保持部材（予備部材保持部）２４と、連結部材２３の不正な切断を防止するための一対の保護壁２５及び複数の肉盛り部２６とを備えている。尚、各封印部材２１はそれぞれ略同一に構成されているので、以下、同一の部分には同一の番号を付してその説明は省略する。
【００３６】
図４に示すように、封印部材２１は、円柱状に形成されており、その一部には連結部材２３が固着され取付部材２２に連結されている。この封印部材２１は、略等間隔で取付部材２２に計４個連結されており、各封印部材２１には、内径の異なる複数の同心状の嵌合穴２１ａ，２１ｂ，２１ｃが連通してそれぞれ形成されている。また、嵌合穴２１ａ，２１ｂ，２１ｃの内径は嵌合穴２１ａ，２１ｂ，２１ｃの順に大きく形成されている（図６参照）。
【００３７】
嵌合穴２１ａは、図６に示すように、封印部材２１の上面に形成されており、ナット１２のナット頭部１２ａが内嵌可能に形成されている。この嵌合穴２１ａの深さ、即ち、封印部材２１の上面から嵌合穴２１ａの底面までの長さは、ナット１２のナット頭部１２ａの長さと略同一に形成されている。よって、嵌合穴２１ａに内嵌されたナット１２の上端部が封印部材２１の上面から突出することを防止することができる。従って、後述するユニット部材３０の封印部材３１の下面を封印部材２１の上面に当接させることができる。
【００３８】
嵌合穴２１ｂは、嵌合穴２１ａに連通して形成されており、ナット１２の円筒部１２ｂが内嵌可能に形成されている。この嵌合穴２１ｂの深さ、即ち、嵌合穴２１ａの底面から嵌合穴２１ｂの底面までの長さは、ナット１２の円筒部１２ｂの長さと比較して大きく形成されており、円筒部１２ｂの下面と嵌合穴２１ｂの底面との間にはストッパ部材１３を保持する空間が形成されている。また、嵌合穴２１ｂと嵌合穴２１ｃとの連結部分には、面取り部Ｃが形成されており、ストッパ部材１３の受け部１３ａが嵌合される。よって、ストッパ部材１３は、面取り部Ｃを介して嵌合穴２１ｂの底面に位置決めされるとともに、封印部材２１の嵌合穴２１ｂ内において、ナット１２の円筒部１２ｂ下面により押さえ付けられることがない。従って、ストッパ部材１３の内孔１３ｂ内に封印ねじ１１の先端部１１ｃを容易に挿入することができるとともに、ストッパ部材１３を容易に弾性変形させることができる。
【００３９】
嵌合穴２１ｃは、嵌合穴２１ｂに連通して形成されており、封印ねじ１１の先端部１１ｃが内嵌可能に形成されている。この嵌合穴２１ｃの深さ、即ち、嵌合穴２１ｂの底面から嵌合穴２１ｃの底面までの長さは、封印ねじ１１の先端部１１ｃの長さと比較して大きく形成されており、嵌合穴２１ｃの底面に封印ねじ１１の先端部１１ｃ下面を当接させてしまうことがない。
【００４０】
図４および図５に示すように、取付部材２２は、封印ユニット１のユニット部材２０をボックス本体４１に取り付けるためのものであり、対向して配設された一対の板状体２２ａ，２２ｂと、その一対の板状体２２ａ，２２ｂを互いに連結する複数の連結部材２２ｃと、板状体２２ｂに配設された補強部材２２ｄとを備えている。
【００４１】
図５に示すように、各板状体２２ａ，２２ｂは複数の連結部材２２ｃにより連結されており、この複数の連結部材２２ｃは計６箇所に配設されている。各連結部材２２ｃのうち、板状体２２ａ，２２ｂの長手方向中央付近の４箇所を連結する各連結部材２２ｃは、板状体２２ａの長手方向に略等間隔で配設された後述する複数の連結部材２３に対応して配設されている。よって、取付部材２２のうち、連結部材２３が固着されている部分の厚みは大きく形成され、その強度は強化されている。従って、連結部材２３を切断して封印部材２１を除去する場合、取付部材２２の板状体２２ａ，２２ｂに損傷を与えることなく連結部材２３を切断することができる。また、取付部材２２における一対の板状体２２ａ，２２ｂの間には所定幅の間隙Ｗ１が形成されており（図４および図５参照）、この一対の板状体２２ａ，２２ｂの間に形成された間隙Ｗ１は、ボックス本体４１の側壁４１ａの板厚より大きく形成されている。
【００４２】
図８に示すように、ボックス本体４１の側壁４１ａには、取付部材２２の各連結部材２２ｃに対応した略矩形状の係合溝４１ｂが略等間隔で計６箇所に形成されている。この各係合溝４１ｂには、各連結部材２２ｃをそれぞれ係合させることができる。かかる係合により、図３に示すように、ボックス本体４１の側壁４１ａは、ユニット部材２０の取付部材２２における板状体２２ａ，２２ｂの間に挟み込まれ、ユニット部材２０は、ボックス本体４１に取り付けられ、ボックス本体４１の一部となる。ボックス本体４１の側壁４１ａは、ユニット部材２０の板状体２２ａ，２２ｂの間に挟み込まれ、その剛性が向上する。
【００４３】
また、取付部材２２の長手方向の両端部分には一対の取付孔２２ｅが板状体２２ａ，２２ｂのそれぞれを貫通して穿設されている（図４および図５参照）。ボックス本体４１の側壁４１ａには、この取付部材２２の一対の取付孔２２ｅに対応して、一対の係合穴４１ｃが穿設されている（図８参照）。よって、ユニット部材２０の板状体２２ａ，２２ｂの間にボックス本体４１の側壁４１ａを挟み込みつつ、ユニット部材２０の取付部材２２をボックス本体４１の側壁４１ａに「かしめ」またはネジ止めにより固定することができる（図３および図６参照）。
【００４４】
図５に示すように、取付部材２２の板状体２２ｂの長手方向略中央付近には、略矩形状の係止穴２２ｆが穿設されている。図６および図７に示すように、この係止穴２２ｆには、ボックス本体４１の側壁４１ａ内側面に突設された係止爪４１ｅが係止されており、ユニット部材２０をボックス本体４１の側壁４１ａに「仮止め」することができる。よって、ユニット部材２０はボックス本体４１に「仮止め」されているので、「かしめ」またはネジ止めによるユニット部材２０の固定作業を容易に行うことができる。
【００４５】
補強部材２２ｄは、封印ユニット１が配設された基板ボックス４０の強度を補強するためのものである。この補強部材２２ｄは、略平板状に形成されており、取付部材２２の板状体２２ｂにおける上部側面に一体に形成されている（図６および図７中、右側）。この補強部材２２ｄの長手方向両端部分には、段差がそれぞれ設けられており、補強部材２２ｄの曲げ剛性および捻り剛性が強化されている。その結果、基板ボックス４０に配設された封印ユニット１の剛性が強化される。
【００４６】
図４および図５に示すように、連結部材２３は、封印部材２１と取付部材２２とをそれぞれ連結（結合）するためのものである。この連結部材２３は、取付部材２２の板状体２２ａの一側面に略等間隔で計４個配設されており、各連結部材２３には封印部材２１がそれぞれ固着されている。即ち、計４個の各封印部材２１が略等間隔で隣接して取付部材２２と連結され、ユニット部材２０が一体に形成されている。
【００４７】
また、連結部材２３により連結された封印部材２１と取付部材２２との間には、基板ボックス４０が開封された状態（図３）でユニット部材２０の上側から、ニッパ等の工具の刃先が入り込むことが可能な間隔が形成されている。よって、封印部材２１を切断して除去する場合に、ユニット部材２０の上側から、ニッパ等の工具を用いて連結部材２３を容易に切断することができる。一方、基板ボックス４０が封印された状態においては、ユニット部材２０の上側ではユニット部材３０が障害となり、また、ユニット部材２０の下側または横側では後述する保護壁２５および肉盛り部２６が障害となって、ニッパ等の工具の刃先が入り込むことができず、連結部材２３を切断することができない。
【００４８】
図４に示すように、一対の保護壁２５は、ユニット部材２０の下側または横側から連結部材２３が切断されるのを防止するためのものである。この各保護壁２５は、取付部材２２の長手方向両端付近に固着された封印部材２１，２１にそれぞれ隣接して、取付部材２２の板状体２２ａにそれぞれ固着されている。基板ボックス４０が封印された状態では、後述する「１」または「４」の番号表示Ｋが付された封印部材３１に対向する封印部材２１と取付部材２２とを連結する連結部材２３は、一対の保護壁２５により保護される。従って、基板ボックス４０が封印された状態においては、保護壁２５が障害となって、これらの連結部材２３により連結された封印部材２１と取付部材２２との間に、ニッパ等の工具の刃先が入り込むことは不可能なので、かかる連結部材２３がユニット部材２０を下側等から不正に切断され、基板ボックス４０が不正に開封されることを防止することができる。また、図５に示すように、この一対の保護壁２５は、その下面側の肉厚が大きくされ剛性が強化されており、ニッパ等の工具によって切断することは困難である。
【００４９】
図６に示すように、ユニット部材２０の板状体２２ａの左下側面には、肉盛り部２６が固着されている。肉盛り部２６は、基板ボックス４０が封印された状態において、上述した一対の保護壁２５とともにユニット部材２０の下側から各連結部材２３が切断されるのを防止するためのものであり、その剛性を向上させるために肉厚が大きく形成されている。よって、かかる肉盛り部２６をニッパ等の工具によって切断することは困難である。図５に示すように、かかる肉盛り部２６が、各連結部材２３の間に隣接して、それぞれ設けられているので、基板ボックス４０が封印された状態では、ユニット部材２０の下側（図２R>２では遊技盤５１配設側）からのニッパ等の挿入が防止され、各連結部材２３の切断が防止されるのである。
【００５０】
上記のように各連結部材２３は、一対の保護壁２５および複数の肉盛り部２６によって、ユニット部材２０の下側または横側からその切断が防止されているので、封印ユニット１により封印された基板ボックス４０を開封するためには、ユニット部材３０に固着されたリブ部材３６および連結部材３３を切断しなければならない。これらの連結部材３３およびリブ部材３６は、図２の手前側に配設されたユニット部材３０に固着されているので、連結部材３３およびリブ部材３６の切断や、その切断の隠蔽工作等が行われた場合には、基板ボックス４０を回転させることなく、そのままの状態で、それらを容易に発見することができる。従って、図２に示すように、留め具（図示せず）による基板ボックス４０の係止を解除した後、連接板４５を介して基板ボックス４０を反時計方向へ回転させ、基板ボックス４０を２点鎖線の位置へ移動させて、ユニット部材２０の各連結部材２３が切断されているか否かの検査を行うことが不要となる。
【００５１】
予備ねじ保持部材２４は、予備用封印ねじ１１１を保持するためのものであり、図４に示すように、各封印部材２１の外周面左側に一体に形成されている。この予備ねじ保持部材２４の一端には、予備ねじ保持部材２４の上端面から下端面へ貫通する予備ねじ保持穴２４ａが穿設されており、この予備ねじ保持穴２４ａに予備用封印ねじ１１１が保持される（図７参照）。図５に示すように、予備ねじ保持穴２４ａは下面視略Ｃ字形に形成されており、その一部には切り欠き２４ｂが設けられている。よって、予備ねじ保持穴２４ａ内への予備用封印ねじ１１１の挿入に伴って、予備ねじ保持穴２４ａの内径を拡大することができる。
【００５２】
また、予備ねじ保持穴２４ａは、予備ねじ保持部材２４の上端面側の内径（上端側内径）より、予備ねじ保持部材２４の下端面側の内径（下端側内径）を小さくしたテーパ部Ｔ２を有しており（図７参照）、その上端側内径は、予備用封印ねじ１１１のおねじ部１１ｄの外径と比較して大きく形成されている。よって、このテーパ部Ｔ２を介して、予備用封印ねじ１１１を予備ねじ保持穴２４ａ内へ容易に挿入することができる。また、予備ねじ保持穴２４ａの下端側内径は、予備用封印ねじ１１１のおねじ部１１ｄの外径と比較して小さく形成されている。よって、予備用封印ねじ１１１を予備ねじ保持穴２４ａへ挿入した場合、予備用封印ねじ１１１の頭部１１ｂの下端面と予備ねじ保持部材２４の上端面とが当接するまで、予備用封印ねじ１１１が押し込まれると、予備ねじ保持穴２４ａの下端部分と予備用封印ねじ１１１のおねじ部１１ｄとが係合して、予備用封印ねじ１１１が予備ねじ保持穴２４ａ内に取り外し可能な状態で保持される。
【００５３】
図３に示すように、封印ユニット１には、計４個の封印部材２１，３１がそれぞれ配設されている。これらの封印部材２１，３１を封印するためには、封印ねじ１１の他に３本の予備用封印ねじ１１１が必要となる。よって、本実施例の封印ユニット１の各封印部材２１のうち、右側３個には、それぞれ予備ねじ保持部材２４が設けられており、その各予備ねじ保持部材２４には、それぞれ予備用封印ねじ１１１が保持される。即ち、本実施例の各封印ユニット１には、それぞれ３本ずつ、計６本の予備用封印ねじ１１１が保持されている。
【００５４】
ユニット部材３０は、封印ねじ１１とユニット部材２０とを介して、基板ボックス４０を封印するためにボックス蓋体４２に配設されるものであり、ポリカーボネート樹脂等の耐衝撃性を有する合成樹脂材料で形成されている。このユニット部材３０は、封印ねじ１１が係合される封印部材３１と、ユニット部材３０をボックス蓋体４２に取り付けるための取付部材３２と、各封印部材３１と取付部材３２とを互いに連結するための連結部材３３と、予備用封印ねじ１１１の頭部１１ｂを係止するための予備ねじ係止部材（予備部材係止部）３４とを備えている。尚、各封印部材３１はそれぞれ略同一に構成されているので、以下、同一の部分には同一の番号を付してその説明は省略する。
【００５５】
図６に示すように、封印部材３１は、円柱状に形成されており、その一部には連結部材３３が固着され取付部材３２に連結されている。この封印部材３１は、略等間隔で取付部材３２に計４個連結されており、各封印部材３１はユニット部材２０の各封印部材２１のそれぞれと対向する位置に取付部材３２と一体に形成されている（図３参照）。また、各封印部材３１は、封印ねじ１１の頭部１１ｂと係合される係合穴３１ａと、その係合穴３１ａに連通して穿設された挿入穴３１ｂとを備えている。
【００５６】
この係合穴３１ａの内径は、封印ねじ１１の頭部１１ｂの外径と比較して大きく形成されており、その深さ、即ち、封印部材３１の上面から係合穴３１ａの底面までの長さは、封印ねじ１１の頭部１１ｂの長さと比較して長く形成されている。よって、封印ねじ１１の頭部１１ｂを封印部材３１の上面から突出させることなく、封印部材３１の係合穴３１ａ内に係合させることができる。
【００５７】
挿入穴３１ｂの内径は、封印ねじ１１の頭部１１ｂの外径と比較して小さく形成されるとともに、封印ねじ１１のおねじ部１１ｄの外径と比較して大きく形成されている（図６参照）。よって、封印ねじ１１のおねじ部１１ｄを挿入穴３１ｂを貫通させて、ナット１２のめねじ部１２ｃに螺合させることができる。また、封印ねじ１１の係止溝１１ｆがストッパ部材１３により係止されて封印ねじ１１が封印部材２１内に取り外し不可能な状態で保持された場合、封印ねじ１１の頭部１１ｂは係合穴３１ａ内に係合される。従って、封印部材２１，３１は封印ねじ１１により分離不可能に連結され、基板ボックス４０は開封不可能な状態で封印される。
【００５８】
図４に示すように、取付部材３２は、封印ユニット１のユニット部材３０をボックス蓋体４２に取り付けるためのものであり、対向して配設された一対の板状体３２ａ，３２ｂと、その一対の板状体３２ａ，３２ｂを互いに連結する複数の連結部材３２ｃとを備えている。
【００５９】
図４に示すように、各板状体３２ａ，３２ｂは複数の連結部材３２ｃにより連結されており、この複数の連結部材３２ｃは計６箇所に配設されている。各連結部材３２ｃのうち、板状体３２ａ，３２ｂの長手方向略中央付近の４箇所を連結する各連結部材３２ｃは、板状体３２ａの長手方向に略等間隔で配設された後述する複数の連結部材３３に対応して配設されている。よって、取付部材３２のうち、連結部材３３が固着されている部分の厚みは大きく形成され、その強度は強化されている。従って、連結部材３３を切断して封印部材３１を除去する場合、取付部材３２の板状体３２ａ，３２ｂに損傷を与えることなく連結部材３３を切断することができる。また、取付部材３２における一対の板状体３２ａ，３２ｂの間には所定幅の間隙Ｗ２が形成されており、この一対の板状体３２ａ，３２ｂの間に形成された間隙Ｗ２は、ボックス蓋体４２の側壁４２ａの板厚より大きく形成されている。
【００６０】
図８に示すように、ボックス蓋体４２の側壁４２ａには、取付部材３２の各連結部材３２ｃに対応した略矩形状の係合溝４２ｂが略等間隔で計６箇所に形成されている。この各係合溝４２ｂには、各連結部材３２ｃをそれぞれ係合させることができる。かかる係合により、図３に示すように、ボックス蓋体４２の側壁４２ａは、ユニット部材３０の取付部材３２における板状体３２ａ，３２ｂの間に挟み込まれ、ユニット部材３０は、ボックス蓋体４２に取り付けられ、ボックス蓋体４２の一部となる。ボックス蓋体４２の側壁４２ａは、ユニット部材３０の板状体３２ａ，３２ｂの間に挟み込まれ、その剛性が向上する。
【００６１】
また、取付部材３２の長手方向の両端部分には一対の取付孔３２ｅが板状体３２ａ，３２ｂのそれぞれを貫通して穿設されている（図４および図５参照）。ボックス蓋体４２の側壁４２ａには、この取付部材３２の一対の取付孔３２ｅに対応して、一対の係合穴４２ｃが穿設されている（図８参照）。よって、ユニット部材３０の板状体３２ａ，３２ｂの間にボックス蓋体４２の側壁４２ａを挟み込みつつ、ユニット部材３０の取付部材３２をボックス蓋体４２の側壁４２ａに「かしめ」またはネジ止めにより固定することができる（図３および図６参照）。
【００６２】
図６および図７に示すように、取付部材３２の板状体３２ｂの長手方向略中央付近には、略矩形状の係止穴３２ｆが穿設されている。この係止穴３２ｆには、ボックス蓋体４２の側壁４２ａ内側面に突設された係止爪４２ｅが係止されており、ユニット部材３０をボックス蓋体４２の側壁４２ａに「仮止め」することができる。よって、ユニット部材３０はボックス蓋体４２に「仮止め」されているので、「かしめ」またはネジ止めによるユニット部材３０の固定作業を容易に行うことができる。
【００６３】
図４に示すように、連結部材３３は、各封印部材３１と取付部材３２とをそれぞれ連結（結合）するためのものである。この連結部材３３は、取付部材３２の板状体３２ａの一側面に略等間隔で計４個配設されており、各連結部材３３には封印部材３１がそれぞれ固着されている。即ち、計４個の各封印部材３１が略等間隔で隣接して取付部材３２と連結され、ユニット部材３０が一体に形成されている。また、連結部材３３により連結された封印部材３１と取付部材３２との間には、後述するリブ部材３６が切断されることを条件として、ニッパ等の工具の刃先が入り込むことが可能な間隔が形成されている。よって、封印部材３１を切断して除去する場合に、ニッパ等の工具を用いて連結部材３３を容易に切断することができる。
【００６４】
各リブ部材３６は、各連結部材３３の不正な切断によって基板ボックス４０が開封されるのを防止するためのものである。この各リブ部材３６は、各連結部材３３の両側部分に隣接してそれぞれ配設されている。よって、連結部材３３により連結された封印部材３１と取付部材３２との間に、ニッパ等の工具の刃先が入り込むことは不可能なので、かかる連結部材３３が切断されて、基板ボックス４０が不正に開封されることを防止することができる。
【００６５】
各リブ部材３６は、その上端部分が取付部材３２の板状体３２ａの側面に固着されている。よって、この固着部分をニッパ等によって切断することにより、リブ部材３６を取付部材３２の板状体３２ａから除去することができる。リブ部材３６が連結部材３３の両側部分から除去されると、連結部材３３はニッパ等によって切断可能な状態となり、かかる連結部材３３を切断することにより、一旦封印された基板ボックス４０が開封可能となる。
【００６６】
尚、ボックス本体４１とユニット２０およびボックス蓋体４２とユニット３０は、それぞれ合成樹脂材料を使用して一体成形しても良い。また、各封印部材３１の下面にナット１２のナット頭部１２ａの上面をそれぞれ固着して、各封印部材３１と各ナット１２とを一体に形成しても良い。
【００６７】
図４に示すように、各封印部材３１のうち、取付部材３２の長手方向右側部分に固着された封印部材３１の外周面右側には、突起部材３５が突出して固着されており、その上面には「１」の番号表示Ｋが付されている。この突起部材３５は、取付部材３２の長手方向右端部分に固着された封印部材３１から突出して設けられているので、その破損防止のため厚板状に形成されている。また、突起部材３５は、後述する予備ねじ係止部材３４のように、後述する突起部３４ａを有していない。
【００６８】
予備ねじ係止部材３４は、予備ねじ保持部材２４に保持された予備用封印ねじ１１１の頭部１１ｂを係止するためのものである。図４に示すように、各予備ねじ係止部材３４の上面には、「２」から「４」までの番号表示Ｋがそれぞれ表示されている。また、これらの各予備ねじ係止部材３４は、各封印部材３１の外周面右側にそれぞれ固着されている。各番号表示Ｋは、ユニット部材３０の成形と同時に型枠を用いて形成されており、各一対の封印部材２１，３１が封印される順番を表している。よって、各封印部材２１とそれに対向する各封印部材３１とを「１」から「４」の各番号表示Ｋの順に封印ねじ１１を用いて封印するとともに、「１」から「４」の番号表示Ｋの順に封印された一対の封印部材２１，３１をニッパ等の工具を用いて切断して除去することができる。
【００６９】
尚、この各番号表示Ｋを付す方法としては、「１」から「４」の数字を印刷した合成樹脂等のシート等を各予備ねじ係止部材３４の上面に貼付等したりしても良い。
【００７０】
図４に示すように、各予備ねじ係止部材３４はそれぞれ薄板状に形成されており、その下面には後述する突起部３４ａが設けられている（図７参照）。また、図７に示すように、予備ねじ係止部材３４は、予備ねじ保持部材２４に保持された予備用封印ねじ１１１の頭部１１ｂの上方に覆設されており、予備ねじ係止部材３４の下面と予備用封印ねじ１１１の頭部１１ｂの頂部とは当接している。よって、予備ねじ保持部材２４に保持された予備用封印ねじ１１１の頭部１１ｂは、予備ねじ係止部材３４により押さえられているので、予備用封印ねじ１１１の抜け落ちが防止され、予備用封印ねじ１１１の紛失を防止することができる。また、予備ねじ保持部材２４に保持された予備用封印ねじ１１１の頭部１１ｂを掴んで、予備用封印ねじ１１１を上方へ抜き取る不正行為等を防止することができる。
【００７１】
この予備ねじ係止部材３４の下面には、突起部３４ａが下側方向へ突設されている。この突起部３４ａは、略円柱状に形成されており、予備用封印ねじ１１１の頭部１１ｂに凹設された係合溝１１ｇに係合可能に形成されている。よって、予備用封印ねじ１１１の係合溝１１ｇに突起部３４ａを係合させることにより、予備用封印ねじ１１１の頭部１１ｂが確実に係止され、予備用封印ねじ１１１をテーパ部Ｔ２を有する予備ねじ保持部材２４内で確実に保持することができる。
【００７２】
各予備ねじ係止部材３４のうち、「２」から「４」の番号表示Ｋが付された計３個の予備ねじ係止部材３４は、それらが固着されている各封印部材３１に対向する封印部材２１の右側に隣接する封印部材２１の予備ねじ保持部材２４に保持されている予備用封印ねじ１１１を係止することができる。例えば、「２」の番号表示Ｋが付された予備ねじ係止部材３４は、その右側に隣接する（「１」の番号表示Ｋが付された突起部材３５が固着された）封印部材３１と対向する封印部材２１の予備ねじ保持部材２４に保持された予備用封印ねじ１１１を突起部３４ａにより係止することができる。
【００７３】
また、予備ねじ係止部材３４を介して予備ねじ保持部材２４に保持された予備用封印ねじ１１１を取り出す場合には、連結部材２３または連結部材３３のいずれかを切断すると、予備ねじ係止部材３４の突起部３４ａと予備用封印ねじ１１１の係合溝１１ｇとの係合が解除される。その結果、予備用封印ねじ１１１を予備ねじ保持穴２４ａから容易に取り外すことができるとともに、かかる予備用封印ねじ１１１を用いて、封印部材２１，３１を連結して、基板ボックス４０を再度封印することができる。
【００７４】
次に、上述した基板ボックス４０に取り付けられた封印ユニット１の使用方法について説明する。まず、ユニット部材２０の各封印部材２１に形成された嵌合穴２１ｂ内にストッパ部材１３をそれぞれ挿入し、その上方からナット１２を嵌合穴２１ａ，２１ｂ内にそれぞれ内嵌させる。次に、ユニット部材２０の各連結部材２２ｃをボックス本体４１の各係合溝４１ｂに対応させて係合し、取付部材２２の一対の板状体２２ａ，２２ｂの間にボックス本体４１の側壁４１ａを挟み込むようにして、取付部材２２を側壁４１ａに填め込むと、取付部材２２は、ボックス本体４１の一部となる。その後、取付部材２２の板状体２２ｂに設けられた係止穴２２ｆがボックス本体４１の係止爪４１ｅにより係止されるまで填め込み、ユニット部材２０をボックス本体４１に「仮止め」して、取付孔２２ｅおよび係合穴４１ｃを「かしめ」またはネジ止めにより固定する。このようにして、ユニット部材２０をボックス本体４１の２箇所に固定する（図１参照）。
【００７５】
また、同様に、ボックス蓋体４２の各係合溝４２ｂにユニット部材３０の各連結部材３２ｃを対応させて係合し、取付部材３２の一対の板状体３２ａ，３２ｂの間にボックス蓋体４２の側壁４２ａを挟み込むようにして、取付部材３２を側壁４２ａに填め込むと、取付部材３２はボックス蓋体４２の一部となる。その後、取付部材３２の板状体３２ｂに設けられた係止穴３２ｆがボックス蓋体４２の係止爪４２ｅにより係止されるまで填め込み、ユニット部材３０をボックス蓋体４２に「仮止め」して、取付孔３２ｅおよび係合穴４２ｃを「かしめ」またはネジ止めにより固定する。このようにして、ユニット部材３０をユニット部材２０に対向させてボックス蓋体４２の２箇所に固定する（図１参照）。
【００７６】
その後、ユニット部材２０の各封印部材２１に設けられた予備ねじ保持穴２４ａ内に予備用封印ねじ１１１をそれぞれ挿入する。各予備用封印ねじ１１１を各予備ねじ保持穴２４ａ内に完全に挿入した後、ユニット部材２０，３０の各封印部材２１，３１を対向させて、ボックス本体４１にボックス蓋体４２を被せる。ボックス蓋体４２をボックス本体４１に被せると、封印部材３１の下面が封印部材２１の上面に当接されるとともに、各予備ねじ係止部材３４の突起部３４ａが各予備用封印ねじ１１１の頭部１１ｂに凹設された係合溝１１ｇに係合される。
【００７７】
次に、各封印ユニット１の封印部材３１のうち、「１」の番号表示Ｋが付された突起部材３５が固着されているものの挿入穴３１ｂ内に封印ねじ１１の先端部１１ｃをそれぞれ挿入する。挿入穴３１ｂへ挿入された封印ねじ１１の係合溝１１ｇにスクリュードライバ等のねじ回し工具を係合し、封印ねじ１１をナット１２にねじ込む。封印ねじ１１がねじ込まれると、封印ねじ１１のおねじ部１１ｄは、ナット１２のめねじ部１２ｃに螺入される。それと同時に、封印ねじ１１の先端部１１ｃは、ナット１２の下方に配置されたストッパ部材１３の受け部１３ａに到達し、内孔１３ｂへと案内される。封印ねじ１１の先端部１１ｃが内孔１３ｂへ案内され挿入されると、先端部１１ｃに形成されたテーパ部Ｔ１により、ストッパ部材１３の内孔１３ａが押し広げられ、ストッパ部材１３の受け部１３ａが弾性変形する。
【００７８】
更に、封印ねじ１１がねじ込まれると、封印ねじ１１のおねじ部１１ｄとナット１２のめねじ部１２ｃとの螺合が解除され、おねじ部１１ｄおよび非おねじ部１１ｅはそれぞれ保持穴１２ｄおよびめねじ部１２ｃ内に挿設され、封印ねじ１１の係止溝１１ｆがストッパ部材１３により係止され、封印ねじ１１が封印部材２１内にて抜き取り不可能な状態で保持される。一方、封印ねじ１１の頭部１１ｂは、封印部材３１の係合穴３１ａ内に係合される。
【００７９】
その結果、封印ねじ１１を反ねじ込み方向へ回転させた場合、封印ねじ１１のおねじ部１１ｄは、ナット１２の保持穴１２ｄ内にて空回し、封印ねじ１１を封印部材２１内から抜き取り不可能にすることができる。更に、封印ねじ１１の頭部１１ｂは、封印部材３１の係合穴３１ａに係合されているので、基板ボックス４０のボックス本体４１とボックス蓋体４２とが開封不可能に連結され、基板ボックス４０を確実に封印することができる（図６参照）。よって、基板ボックス４０に被包された制御回路基板上の制御用ＲＯＭ等を不適法に取り外して、パチンコ機５０の遊技内容を変更する不正行為を防止することができる。
【００８０】
また、このようにして基板ボックス４０が封印されると、各予備ねじ保持穴２４ａに保持された各予備用封印ねじ１１１は、各予備ねじ係止部材３４により、確実に係止され、各予備ねじ保持穴２４ａ内に抜き取り不可能な状態で保持される。よって、予備用封印ねじ１１１が予備ねじ保持穴２４ａから抜け落ちることが防止されるので、予備用封印ねじ１１１の紛失を防止することができる。また、予備用封印ねじ１１１の不正な抜き取りを防止することができる。
【００８１】
基板ボックス４０を開封する場合には、ニッパ等によって、連結部材３３の両側部分に固着された２本のリブ部材３６，３６を切断して、その切断されたリブ部材３６，３６の間に固着された連結部材３３を切断する必要がある。前述したように、基板ボックス４０を封印した状態では、連結部材２３は、一対の保護壁２５および複数の肉盛り部２６が障害となって、切断することができないからである。即ち、連結部材３３および２本のリブ部材３６，３６をそれぞれ切断しなければ、基板ボックス４０を開封することができない。よって、基板ボックス４０を開封して制御回路基板に不正改造等の不正行為を行った後、その不正行為を隠蔽する場合には、連結部材３３および２本のリブ部材３６，３６の各切断部分のそれぞれに接着剤等を塗布し、かかる複数の切断部分をそれぞれ再接合する必要がある。複数の切断部分を再接合して、切断の痕跡を隠蔽することは容易なことではないので、不正行為の隠蔽を確実に行うことはできない。
【００８２】
また、連結部材３３および２本のリブ部材３６，３６は、基板ボックス４０のボックス蓋体４２側に配設されているので、基板ボックス４０をパチンコ機５０側に取り付けたままの状態（図１）で、切断部分を容易に視認することができる。よって、不正行為が行われた場合には、かかる不正行為を早期に発見することができる。このように不正行為を早期に発見できる構成を採用することにより、不正行為を抑制することもできる。
【００８３】
次に、この封印状態にある基板ボックス４０から制御回路基板上の制御用ＲＯＭ等を取り外して検査する方法について説明する。封印ねじ１１の頭部１１ｂは封印部材３１の係合穴３１ａに係合され、封印ねじ１１の軸部１１ａは封印部材２１内に抜き取り不可能な状態で保持されているので、基板ボックス４０内の制御回路基板を適法に検査する場合、ボックス本体４１からボックス蓋体４２を外して、基板ボックス４０を開封することができない。かかる場合、各封印ユニット１のうち、封印ねじ１１により封印されている各封印部材３１、例えば、「１」の番号表示Ｋが付されている突起部材３５が固着された封印部材３１と取付部材３２とを連結している連結部材３３に隣接する２本のリブ部材３６，３６がニッパ等の工具を用いて切断されると、その連結部材３３が切断可能となる。その後、ニッパ等によって、かかる連結部材３３を切断すると、基板ボックス４０が開封される。基板ボックス４０を開封してボックス蓋体４２を取り外した後、「１」の番号表示Ｋが付されている突起部材３５が固着された封印部材３１と当接する封印部材２１と取付部材２２とを連結している連結部材２２を、封印部材２１側からニッパ等の工具によって切断して、封印ねじ１１によって連結された封印部材２１，３１を除去する。
【００８４】
このようにして、連結部材３３およびそれに隣接する２本のリブ部材３６が切断されると、基板ボックス４０が開封可能となり、予備ねじ係止部材３４の突起部３４ａと予備用封印ねじ１１１との係合が解除され、予備用封印ねじ１１１が予備ねじ保持穴２４ａから抜き取り可能となる。よって、かかる予備用封印ねじ１１１を用いて、「２」の番号表示Ｋが付された予備ねじ係止部材３４が固着された封印部材３１とそれに対向する封印部材２１とを連結して、基板ボックス４０を再度封印することができる。
【００８５】
また、封印部材２１，３１を破壊または切断等により除去すれば、基板ボックス４０を開封することができるが、その場合には、基板ボックス４０が開封された痕跡を確実に残すことができる。即ち、不正行為が行われたか否かを即座に発見することができる。
【００８６】
また、「２」から「４」の番号表示Ｋが付された予備ねじ係止部材３４が固着された各封印部材３１のいずれかが除去された場合にも、各予備用封印ねじ１１１を各予備ねじ保持穴２４ａから容易に取り外すことができる。
【００８７】
尚、本実施例では、各封印ユニット１に封印部材２１，３１が各４個ずつ計４組設けられているので、最大３回まで基板ボックス４０の封印を解除して開封することができる。また、止むを得ず全ての封印部材２１，３１を切断して排除した場合には、ユニット部材２０，３０をボックス本体４１およびボックス蓋体４２に固定する「かしめ」またはねじ止めを取り付り外し、新たなに封印ユニット１のユニット部材２０，３０をボックス本体４１およびボックス蓋体４２に取り付ければよい。
【００８８】
以上、実施例に基づき本発明を説明したが、本発明は上記実施例に何ら限定されるものではなく、本発明の趣旨を逸脱しない範囲内で種々の改良変形が可能であることは容易に推察できるものである。
【００８９】
例えば、本実施例では、封印ねじ１１および予備用封印ねじ１１１の頭部１１ｂ上面には、スクリュードライバ等のねじ回し工具が係合可能な上面視略十字状の係合溝１１ｇを凹設した。しかし、スクリュードライバ等のねじ回し工具を係合させる係合溝はこれに限られるものではなく、封印ねじ１１および予備用封印ねじ１１１をねじ込み方向に回転させる場合、ねじ回し工具と係合可能となり、逆に封印ねじ１１および予備用封印ねじ１１１を反ねじ込み方向に回転させる場合には、ねじ回し工具を空回りさせる係合溝、いわゆるワンウェイ十字溝を凹設しても良い。その結果、封印ねじ１１を反ねじ込み方向に回転させることができないので、ナット１２に挿入された封印ねじ１１の抜き取り行為を防止することができる。
【００９０】
また、本実施例では、基板ボックス４０に封印ユニット１と基板ボックス４０とを別部材として形成した。しかし、かかる封印方法はこれに限られるものではなく、基板ボックスのボックス本体およびボックス蓋体のそれぞれと封印ユニットの各ユニット部材とを一体に形成しても良い。
【００９１】
また、本実施例では、「２」から「４」の番号表示Ｋが付された各予備ねじ係止部材３４を各封印部材３１の外周側面に設けた。しかし、かかる予備ねじ係止部材３４の配設位置はこれに限られるものではなく、「５」の番号表示Ｋが付された予備ねじ係止部材３４のように、取付部材３２の板状体３２ａの側面に設けて、予備ねじ保持部材の予備ねじ保持穴に保持される予備用封印部材を係止しても良い。
【００９２】
また、本実施例では、各封印部材３１に対して連結部材３３が１本づつ固着されていた。しかし、かかる連結部材３３の本数は必ずしもこれに限られるものではなく、取付部材３２および１つの封印部材３１を複数本の連結部材によって連結しても良い。かかる構成により、基板ボックスを開封するためには封印ユニットの複数箇所を切断しなければならず、不正行為の隠蔽工作を困難にすることができるのである。
【００９３】
また、本実施例では、リブ部材３６をユニット部材３０にのみ配設した。しかし、リブ部材の配設位置は必ずしもこれに限られるものではなく、例えば、ユニット部材２０に配設された肉盛り部２６に代替して、複数のリブ部材を各連結部材２３の両側部分に隣接して配設しても良い。
【図面の簡単な説明】
【００９４】
【図１】本発明の遊技機用基板ボックス封印具の一実施例である封印ユニットを有する基板ボックスの配設されたパチンコ機の裏面の部分断面図である。
【図２】図１のＩ−Ｉ線における平面部分断面図である。
【図３】封印ユニットが配設された基板ボックスが開封された状態を示す分解斜視図である。
【図４】封印ユニットを構成する各部材の分解斜視図である。
【図５】ボックス本体に配設されるユニット部材の下面図である。
【図６】基板ボックスを封印した状態における封印ユニットの部分断面図である。
【図７】予備用封印ねじを保持した状態における封印ユニットの部分断面図である。
【図８】基板ボックスの分解斜視図である。
【図９】基板管理番号シールの平面図である。
【符号の説明】
【００９５】
１１                              封印ねじ（連結封印部材）
２０                              ユニット部材（第２封印手段）
２１                              封印部材
２２                              取付部材
２３                              連結部材
２４                              予備ねじ保持部材（予備部材保持部）
２５                              保護壁
２６                              肉盛り部
３０                              ユニット部材（第１封印手段）
３１                              封印部材（第１封印部）
３２                              取付部材（第１取付部）
３３                              連結部材（第１連結部）
３６                              リブ部材（突出部）
３４                              予備ねじ係止部材
４０                              基板ボックス（基板ユニット）
４１                              ボックス本体（ベース）
４２                              ボックス蓋体（カバー）
５０                              パチンコ機（遊技機）